(57)【要約】  ２以上のアプリケーションを同時に実行可能な携帯装置（２）に関し、第１のアプリケーションの起動中に左方向又は右方向にスイングさせた場合に、そのスイング状態をスイング状態検出部（１６）で検出し、スイング起動設定部（左スイング起動設定部３２、右スイング起動設定部３４）に設定されている第２のアプリケーション及びその表示情報により、そのアプリケーションの起動と、表示情報に応じた画面表示を立ち上げ、携帯装置の利便性を向上させている。
2009084088.tif 000002
【特許請求の範囲】
【請求項１】
２以上のアプリケーションを同時に実行可能な携帯装置であって、
左方向又は右方向にスイング可能な筐体部と、
前記筐体部に設置されて起動中のアプリケーションの表示画面を表示する表示部と、
前記表示部のスイング状態を検出するスイング状態検出部と、
前記左方向又は前記右方向の一方又は双方のスイングにより起動させるアプリケーション及びその表示情報を設定するスイング起動設定部と、
第１のアプリケーションの起動中に、前記スイング状態検出部で検出した前記表示部のスイング状態を表す検出情報に基づき、前記スイング起動設定部に設定されている第２のアプリケーションを起動させ、前記表示部にスイング前の表示から、スイング後に起動した前記第２のアプリケーションの表示に変更する制御部と、
を備えることを特徴とする携帯装置。
【請求項２】
請求項１に記載の携帯装置において、
前記制御部は、複数のアプリケーションを起動させることが可能であって、スイング操作前の前記表示部に起動中の第１のアプリケーションの表示画面と、スイング操作後の前記表示部に前記スイング起動設定部に設定された第２のアプリケーションに基づく表示画面とからなる２画面に表示することを特徴とする携帯装置。
【請求項３】
請求項１に記載の携帯装置において、
入力操作を行うための入力操作部を備え、
前記制御部は、前記表示部に２画面の表示中に前記入力操作部からの入力を受け付け、該入力を前記表示部のスイング操作により起動した前記第２のアプリケーションの表示画面に反映させることを特徴とする携帯装置。
【請求項４】
請求項１に記載の携帯装置において、
入力操作を行うための入力操作部を備え、
前記制御部は、前記表示部に２画面の表示中に前記入力操作部からの入力を受け付け、該入力を前記第１のアプリケーションの表示画面に反映させることを特徴とする携帯装置。
【請求項５】
２以上のアプリケーションを同時に実行可能な携帯装置の表示制御方法であって、
左方向又は右方向の一方又は双方のスイングにより起動させるアプリケーション及びその表示情報を設定するステップと、
起動中のアプリケーションの表示画面を表示する表示部をスイングさせるステップと、
スイング状態を検出するステップと、
第１のアプリケーションの起動中に、スイング状態を表す検出情報に基づき、設定されている第２のアプリケーションを起動させ、スイング前の表示画面から、スイング後に起動した前記第２のアプリケーションの表示画面に変更するステップとを含むことを特徴とする、携帯装置の表示制御方法。
【請求項６】
請求項５に記載の携帯装置の表示制御方法において、
複数のアプリケーションを起動させることが可能であって、スイング操作前の前記表示部に起動中の第１のアプリケーションの表示画面と、スイング操作後の前記表示部に第２のアプリケーションの起動に基づく表示画面とからなる２画面表示を行うステップを含むことを特徴とする、携帯装置の表示制御方法。
【請求項７】
請求項５に記載の携帯装置の表示制御方法において、
前記表示部に２画面の表示中に入力操作部からの入力を受け付け、該入力を前記表示部のスイング操作により起動した前記第２のアプリケーションの表示画面に反映させるステップを含むことを特徴とする、携帯装置の表示制御方法。
【請求項８】
請求項５に記載の携帯装置の表示制御方法において、
前記表示部に２画面の表示中に入力操作部からの入力を受け付け、該入力を前記第１のアプリケーションの表示画面に反映させることを特徴とする、携帯装置の表示制御方法。
【発明の詳細な説明】
【技術分野】
【０００１】
本発明は、左方向又は右方向にスイングさせることが可能な表示部のスイング操作に基づく表示制御に関し、左方向又は右方向にスイングする表示部を備える携帯装置及びその表示制御方法に関する。
【背景技術】
【０００２】
従来、携帯装置には、２つの筐体部をヒンジ部で折り畳むことが可能な折畳み型、筐体部をスライド機構によってスライドさせることが可能なスライド型、筐体部を２軸ヒンジにより開閉及び回転させる２軸ヒンジ型等がある。また、横ワイド画面での閲覧に適するフルブラウザ、大容量ゲーム、映像コンテンツ等のコンテンツに対応するため、従来の縦画面表示の携帯装置の操作性を維持しながら、ディスプレイ両面を縦画面から横画面に９０度回転させて横ワイド画面での画面表示に切り替えることができる携帯装置もある。横画面との親和性が高いワンセグ放送（１Seg ：One segment Broadcasting）の画像やフルブラウザ等のアプリケーションでは縦画面より横画面の方が表示領域を広くとれる。【０００３】
縦画面から横画面への旋回（スイング）が可能な携帯装置では、左方向又は右方向の一方向、又は左右双方向のスイングが可能なものがある。また、表示部に表示させた待受画面（アプリケーションが実行されていない待受状態で表示される画面）から表示部をスイングさせれば、他の機能を瞬時に起動させることができる携帯装置もある。一方向のみのスイングでは、１つの機能しか起動できないが、左右双方向にスイングが可能であれば、左右方向のそれぞれに機能を割り当てることにより、２つの機能の使い分けができる。【０００４】
待受画面からだけでなく、アプリケーション利用中でもスイングすることで特定のアプリケーション（例えば、ワンセグ放送の受信）を起動させることができる携帯装置もある。【０００５】
また、縦長の表示部では、表示画面を横にした場合の横幅が縦画面の場合より２倍程度の大きさとなる。例えば、４３２〔ドット〕×２４０〔ドット〕の表示画面を採用した場合では、横画面にスイングさせた場合、２４０〔ドット〕×４３２〔ドット〕の横画面となる。そこで、縦画面で表示していたアプリケーション画面の横幅を変えずに縦幅を２４０〔ドット〕に縮めるだけで、比較的簡単に２４０〔ドット〕×２４０〔ドット〕のアプリケーション表示が可能となるとともに、残りの２４０〔ドット〕×１９２〔ドット〕を別表示に割り当てることができる。この場合、１画面表示において、ワンセグ放送の受像画面と、メール画面とを同時に表示し、ワンセグ放送の視聴とメール確認等が行える。【０００６】
このような携帯装置の表示制御に関し、特許文献１には、キー入力部によりアプリケーションを選択し、そのアプリケーションに設定されている表示方向の情報に基づいて表示展開処理を行い、この表示展開処理では、縦表示管理又は横表示管理に従い、表示展開データを表示部に縦表示又は横表示を行うことが開示されている。【０００７】
特許文献２には、開閉が可能な第１の筐体と第２の筐体とを備える携帯装置であって、閉状態から開状態までの操作を片手で行える回転連結機構として、第２の筐体が第１の筐体の操作部全体を覆う閉状態と、第２の筐体が操作部を露出するとともに第１の筐体の中心線に対して左右対称となる開状態との何れか一方の状態から他方の状態へ１回の回転操作により移行できる構成が開示されている。【０００８】
また、特許文献３には、液晶表示画面の縦横表示の切替えを動作モードによって異ならせることに関し、第１の動作モードでは携帯装置の検出状態に基づいて、また、第２の動作モードではユーザによる切替え指定に基づいて、液晶表示画面の縦置表示及び横置表示を切り替えることが開示されている。
【特許文献１】特開２０００−３０７７６８公報（要約、図１等）
【特許文献２】特開２００６−１９９２５公報（要約、図１等）
【特許文献３】特開２００５−３１８１６４公報（要約、図１２等）
【発明の開示】
【発明が解決しようとする課題】
【０００９】
ところで、スイング操作が可能な従来の携帯装置では、スイング操作を行っても、動作中のアプリケーションの表示から横画面で全画面表示に切り替わるか、特定のアプリケーションを起動させているにすぎないものであった。ユーザの必要とするアプリケーションを立ち上げるには、待受画面からメニューを選択して所望のアプリケーションに移行させるという操作が必要であり、面倒な操作を強いるものであった。【００１０】
このような課題について、特許文献１〜３にはその示唆や開示はなく、その解決手段についての開示もない。【００１１】
そこで、本発明の目的は、スイング操作が可能な携帯装置に関し、スイング操作に応じたアプリケーション及び表示画面を起動させ、アプリケーションに対する画面表示の自由度を高め、携帯装置の利便性を向上させることにある。【００１２】
また、本発明の他の目的は、スイング操作が可能な携帯装置に関し、スイング操作に応じて起動するアプリケーション及びアプリケーションに対応する画面表示を選択でき、携帯装置の利便性を向上させることにある。
【課題を解決するための手段】
【００１３】
上記目的を達成するため、本発明は、２以上のアプリケーションを同時に実行可能な携帯装置であって、第１のアプリケーションの起動中に左方向又は右方向にスイングさせた場合に、そのスイング状態をスイング状態検出部で検出し、スイング起動設定部に設定されている第２のアプリケーション及びその表示情報により、そのアプリケーションの起動と、表示情報に応じた画面表示を立ち上げ、携帯装置の利便性を向上させている。【００１４】
そこで、上記目的を達成するため、本発明の第１の側面は、２以上のアプリケーションを同時に実行可能な携帯装置であって、左方向又は右方向にスイング可能な筐体部と、前記筐体部に設置されて起動中のアプリケーションの表示画面を表示する表示部と、前記表示部のスイング状態を検出するスイング状態検出部と、前記左方向又は前記右方向の一方又は双方のスイングにより起動させるアプリケーション及びその表示情報を設定するスイング起動設定部と、第１のアプリケーションの起動中に、前記スイング状態検出部で検出した前記表示部のスイング状態を表す検出情報に基づき、前記スイング起動設定部に設定されている第２のアプリケーションを起動させ、前記表示部にスイング前の表示から、スイング後に起動した前記第２のアプリケーションの表示に変更する制御部とを備えることである。【００１５】
斯かる構成によれば、スイング起動設定部には起動すべき第２のアプリケーション及び表示情報を設定でき、第１のアプリケーションの起動中に左方向又は右方向へのスイングを検出し、スイング起動設定部に設定されている第２のアプリケーション及び表示情報に基づき、そのアプリケーションの起動と設定されている表示情報に基づく画面表示を行うことができ、上記目的が達成される。【００１６】
上記目的を達成するためには、上記携帯装置において、好ましくは、前記制御部は、複数のアプリケーションを起動させることが可能であって、スイング操作前の前記表示部に起動中の第１のアプリケーションの表示画面と、スイング操作後の前記表示部に前記スイング起動設定部に設定された第２のアプリケーションに基づく表示画面とからなる２画面に表示する構成としてもよく、また、入力操作を行うための入力操作部を備え、前記制御部は、前記表示部に２画面の表示中に前記入力操作部からの入力を受け付け、該入力を前記表示部のスイング操作により起動した前記第２のアプリケーションの表示画面に反映させる構成としてもよく、また、入力操作を行うための入力操作部を備え、前記制御部は、前記表示部に２画面の表示中に前記入力操作部からの入力を受け付け、該入力を前記第１のアプリケーションの表示画面に反映させる構成としてもよい。斯かる構成によっても、上記目的が達成される。【００１７】
上記目的を達成するため、本発明の第２の側面は、２以上のアプリケーションを同時に実行可能な携帯装置の表示制御方法であって、左方向又は右方向の一方又は双方のスイングにより起動させるアプリケーション及びその表示情報を設定するステップと、起動中のアプリケーションの表示画面を表示する表示部をスイングさせるステップと、スイング状態を検出するステップと、第１のアプリケーションの起動中に、スイング状態を表す検出情報に基づき、設定されている第２のアプリケーションを起動させ、スイング前の表示画面から、スイング後に起動した前記第２のアプリケーションの表示画面に変更するステップとを含むことである。【００１８】
斯かる構成によれば、起動すべき第２のアプリケーション及び表示情報を設定できるので、第１のアプリケーションの起動中に左方向又は右方向へのスイングを検出に基づき、第２のアプリケーション及び表示情報により、第２のアプリケーションの起動と表示情報に基づく画面表示を行うことができる。【００１９】
上記目的を達成するためには、上記携帯装置の表示制御方法において、好ましくは、複数のアプリケーションを起動させることが可能であって、スイング操作前の前記表示部に起動中の第１のアプリケーションの表示画面と、スイング操作後の前記表示部に第２のアプリケーションの起動に基づく表示画面とからなる２画面表示を行うステップを含む構成としてもよく、また、前記表示部に２画面の表示中に入力操作部からの入力を受け付け、該入力を前記表示部のスイング操作により起動した前記第２のアプリケーションの表示画面に反映させるステップを含む構成としてもよく、また、前記表示部に２画面の表示中に入力操作部からの入力を受け付け、該入力を前記第１のアプリケーションの表示画面に反映させる構成としてもよい。斯かる構成によっても、上記目的が達成される。
【発明の効果】
【００２０】
本発明によれば、次のような効果が得られる。【００２１】
(1) スイング起動設定部にはスイングに基づき起動すべきアプリケーション及び表示画面を設定できるので、起動中のアプリケーションとは別にスイング操作に応じて他のアプリケーションを起動できるとともに、設定された表示情報に応じた画面表示を行うことができ、アプリケーションの起動、画面表示の自由度が高められるとともに、携帯装置の利便性を向上させることができる。【００２２】
(2) スイング操作に応じて起動するアプリケーション及びアプリケーションに対応する画面表示を選択し、設定できるので、携帯装置の利便性を向上させることができる。
【００２３】
そして、本発明の他の目的、特徴及び利点は、添付図面及び各実施の形態を参照することにより、一層明確になるであろう。
【図面の簡単な説明】
【００２４】
【図１】第１の実施の形態に係る携帯装置を示す図である。
【図２】スイング起動設定領域のデータ構成を示す図である。
【図３】携帯装置の基本構成を示す図である。
【図４】携帯装置の外観を示す図である。
【図５】第１の実施の形態に係る表示制御の処理手順を示すフローチャートである。
【図６】左スイングによるアプリケーション起動及び表示切替えを示す図である。
【図７】右スイングによるアプリケーション起動及び表示切替えを示す図である。
【図８】第２の実施の形態に係る携帯装置を示す図である。
【図９】スイング起動設定領域及びスイング画面表示設定領域のデータ構成を示す図である。
【図１０】第２の実施の形態に係る表示制御の処理手順を示すフローチャートである。
【図１１】左スイングによるアプリケーション起動及び表示切替えを示す図である。
【図１２】右スイングによるアプリケーション起動及び表示切替えを示す図である。
【図１３】第１の実施例に係るスイング起動設定領域の格納情報を示す図である。
【図１４】第１の実施例に係る処理手順を示すフローチャートである。
【図１５】左及び右スイングによるアプリケーション起動及び表示切替えを示す図である。
【図１６】フルブラウザの縦画面表示から横全画面表示への切替えを示す図である。
【図１７】受信メールの横全画面表示から縦画面表示への切替えを示す図である。
【図１８】第２の実施例に係るスイング起動設定領域及びスイング画面表示設定領域の格納情報を示す図である。
【図１９】第２の実施例に係る処理手順を示すフローチャートである。
【図２０】左及び右スイングによるアプリケーション起動及び表示切替えを示す図である。
【図２１】２画面表示及び縦画面表示を示す図である。
【図２２】第３の実施例に係るスイング起動設定領域及びスイング画面表示設定領域の格納情報を示す図である。
【図２３】第３の実施例に係る処理手順を示すフローチャートである。
【図２４】左及び右スイングによるアプリケーション起動及び表示切替えを示す図である。
【図２５】２画面表示を示す図である。
【図２６】第４の実施例に係るアプリケーションの起動及び表示画面切替えを示す図である。
【図２７】第４の実施例に係るアプリケーションの起動及び表示画面切替えを示す図である。
【符号の説明】
【００２５】
２  携帯装置
４  制御部
６  キーパッド部
１２  記憶部
１４  表示部
１６  スイング状態検出部
２８  スイング起動設定領域
３２  左スイング起動設定部
３４  右スイング起動設定部
４０  操作側筐体部
４２  表示側筐体部
【発明を実施するための最良の形態】
【００２６】
〔第１の実施の形態〕【００２７】
第１の実施の形態について、図１及び図２を参照する。図１は、第１の実施の形態に係る携帯装置を示す図、図２は、スイング起動設定領域のデータ構成を示す図である。図１及び図２に示す構成は一例であって、斯かる構成に本発明が限定されるものではない。【００２８】
この携帯装置２は、左方向又は右方向にスイングさせることが可能な表示手段を備え、第１のアプリケーションの起動中に、スイング（旋回）状態の検出に基づき、スイング起動設定部に設定されている第２のアプリケーションを起動させ、スイング前の表示から、スイング後に起動したアプリケーションの表示に変更する機能を有する。【００２９】
この携帯装置２には、制御部４、キーパッド部６、通信部８、ワークメモリ１０、記憶部１２、表示部１４及びスイング状態検出部１６が備えられている。制御部４は、ＯＳ（Operating System）やアプリケーションの実行、入力制御、スイング状態に応じた表示制御等の出力制御、通信制御等を実行し、ＣＰＵ（Central Processing Unit ）を備えている。キーパッド部６は情報入力に用いる入力操作部であって、ユーザからの情報入力に用いられる。制御部４は、表示部１４に２画面の表示中にキーパッド部６からの入力を受け付け、該入力を表示部１４の表示画面上に反映させる処理として表示処理を実行する。【００３０】
通信部８は、制御部４の制御に基づき、基地局との通信、音声の取込み及び音声の出力、ワンセグ放送（地上ディジタル放送）の受信等を行う。そこで、この通信部８には、アンテナ１８が備えられ、このアンテナ１８を通じて放送受信や基地局との送受信が行われる。音声入力はマイクロフォン２０を通じて通信部８に入力され、音声はレシーバ２２から出力され、また、放送等のステレオ又はモノラルの再生音声はスピーカ２４Ｌ、２４Ｒから取り出すこともできる。【００３１】
ワークメモリ１０は、ＯＳや実行するアプリケーションを展開し、情報処理を行うワークエリアを構成する。また、記憶部１２は、ＯＳや各種アプリケーションの他、スイング起動設定情報等が格納される記憶手段であって、Ｆｌａｓｈメモリ等の不揮発性メモリで構成され、プログラム格納領域２６、スイング起動設定領域２８、データ格納領域３０が設定されている。プログラム格納領域２６は、既述のＯＳや各種のアプリケーション、スイングに応じた画面表示を実行する表示制御プログラムの格納に用いられる。スイング起動設定領域２８は、表示部１４のスイング情報と、そのスイング情報に対応するアプリケーションや動作を表す情報を格納するスイング起動設定部を構成する。データ格納領域３０は入力データ等が格納される。【００３２】
表示部１４はアプリケーションや動作状態を表示する表示手段であって、例えば、ＬＣＤ（Liquid Crystal Display）素子で構成され、左方向及び／又は右方向にスイング可能に構成される。また、スイング状態検出部１６は、表示部１４のスイング状態としてスイング方向（左方向又は右方向）やスイング位置（左停止位置又は右停止位置）を検出する手段であるとともに、スイング状態を表す状態情報の入力手段であって、スイング状態検出部１６の検出情報は制御部４によって監視され、制御部４に取り込まれ、データ格納領域３０に格納される。この検出情報は、スイング起動設定領域２８に設定されている起動情報の読出しや起動すべきアプリケーションの選択に用いられる。【００３３】
また、スイング起動設定領域２８には、図２に示すように、左スイング起動設定部３２及び右スイング起動設定部３４が設定され、左スイング起動設定部３２には表示部１４の左スイングで起動する機能としてアプリケーションや画面表示の起動情報３６が格納され、右スイング起動設定部３４には表示部１４の右スイングで起動される機能としてアプリケーションや画面表示の起動情報３８が格納される。これらの起動情報３６、３８は、携帯装置２の電源投入の後、メニュー画面から機能設定動作を立ち上げ、起動設定画面から入力され、設定できる構成とすればよい。【００３４】
次に、携帯装置２の構成について、図３及び図４を参照する。図３は、携帯装置の基本構成を示す図、図４は、携帯装置の外観を示す図である。図３及び図４に示す構成は一例であって、斯かる構成に本発明が限定されるものではない。図３及び図４において、図１と同一部分には同一符号を付してある。【００３５】
この携帯装置２には、図３に示すように、第１の筐体部として操作側筐体部４０、第２の筐体部として表示側筐体部４２が備えられ、操作側筐体部４０と表示側筐体部４２との間には開閉機構としてヒンジ部４４が備えられているとともに、表示側筐体部４２を旋回可能に操作側筐体部４０に支持するスイング機構４６が設置されている。このスイング機構４６には既述のスイング状態検出部１６が設置され、表示部１４のスイング位置が検出される。【００３６】
操作側筐体部４０及び表示側筐体部４２は、図４に示すように、ヒンジ部４４で連結されて開閉可能であり、操作側筐体部４０には既述のキーパッド部６、マイクロフォン２０、スピーカ２４Ｌ、２４Ｒが設置され、また、表示側筐体部４２には表示部１４、レシーバ２２が設置されている。表示部１４は表示画面４８を備える。キーパッド部６にはカーソルキー６０２、文字キー６０４、ＴＶキー６０６等が配置されている。ＴＶキー６０６は、機能切替えキーの一例であって、ＴＶ受信画面モードの切替えに用いられる。このＴＶキー６０６には、ワンセグ放送の受信開始及びワンセグ横全画面表示、ワンセグ横全画面表示から２画面表示、２画面表示から他画面表示への切替え機能が割り当てられ、これらの順次的なキー入力が制御部４に加えられ、放送受信開始や表示切替えが実行される。【００３７】
表示部１４の表示画面４８において、長辺Ｐ側のドット数ｄ1 は例えば、ｄ1 ＝４３２〔ｄｏｔ〕であり、短辺Ｑ側のドット数ｄ2 は例えば、ｄ2 ＝２４０〔ｄｏｔ〕である。【００３８】
この場合、長辺Ｐ側のドット数ｄ1 と、短辺Ｑ側のドット数ｄ2 との差Δｄは、
Δｄ＝ｄ1 −ｄ2 ＝１９２〔ｄｏｔ〕        ・・・(1) 
である。そこで、表示画面４８の長辺Ｐをｄ2 、Δｄの２分割とする。即ち、一辺を２４０〔ｄｏｔ〕とする、ｄ2 ×ｄ2 ＝２４０〔ｄｏｔ〕×２４０〔ｄｏｔ〕の正方形の表示領域４８２と、ｄ2 ×Δｄ＝２４０〔ｄｏｔ〕×１９２〔ｄｏｔ〕の長方形の表示領域４８４とに分割して２画面表示とすることが可能である。【００３９】
このような画面表示において、表示画面４８の全体を単一のアプリケーションを以て表示する場合を「全画面」、「全画面表示」又は「全画面起動」と称し、また、表示画面４８を２つの領域として例えば、表示領域４８２、４８４に分割してそれぞれ独立したアプリケーション（同一アプリケーション又は異なるアプリケーション）を以て表示する場合を「２画面」、「２画面表示」又は「２画面起動」と称する。この２画面表示は、どのような領域を設定してもよく、既述の表示領域４８２、４８４は一例であり、斯かる分割表示に限定されるものではない。【００４０】
次に、アプリケーションの起動及び表示制御について、図５を参照する。図５は、第１の実施の形態に係る表示制御の処理手順を示すフローチャートである。図５の処理手順は一例であって、この処理手順に本発明が限定されるものではない。【００４１】
この処理手順は、携帯装置の表示制御方法又は表示制御プログラムの一例であって、この処理手順には、スイング起動設定領域２８（図２）の起動情報の設定に基づく処理が含まれている。即ち、起動情報に基づく表示切替えがスイング操作に応じて実行される。【００４２】
この処理手順は、図５に示すように、第１のアプリケーションとして例えば、アプリケーションＸが起動され、その起動中に（ステップＳ１）、表示側筐体部４２のスイング操作が行われ（ステップＳ２）、スイング状態検出部１６の検出情報に基づき、スイング起動が実行される。スイング状態検出部１６の検出情報から、左スイングか右スイングかが判定され（ステップＳ３）、左スイングの場合には（ステップＳ３の左スイング）、設定されている起動情報の有無が判断される（ステップＳ４）。【００４３】
第２のアプリケーションとして例えば、アプリケーションＹの起動情報が設定されていれば（ステップＳ４のＹｅｓ）、起動情報に基づき、アプリケーションＹが実行され、アプリケーションＹの全画面が表示画面４８に展開される（ステップＳ５）。【００４４】
また、アプリケーションの起動情報が設定されていなければ（ステップＳ４のＮｏ）、起動中のアプリケーションＸの全画面が表示画面４８に展開される（ステップＳ６）。【００４５】
ステップＳ３において、右スイングの場合には（ステップＳ３の右スイング）、右スイングにおいても、設定されている起動情報の有無が判断される（ステップＳ７）。【００４６】
他の第２のアプリケーションとして例えば、アプリケーションＺの起動情報が設定されていれば（ステップＳ７のＹｅｓ）、起動情報に基づき、アプリケーションＺが実行され、アプリケーションＺの全画面が表示画面４８に展開される（ステップＳ８）。【００４７】
また、アプリケーションの起動情報が設定されていなければ（ステップＳ７のＮｏ）、起動中のアプリケーションＸの全画面が表示画面４８に展開される（ステップＳ９）。【００４８】
このような表示部１４のスイングに応じた表示切替えについて、図６Ａに示すように、表示画面４８に実行中のアプリケーションＸの表示が展開されている状態から、図６Ｂに示すように、表示側筐体部４２を左方向（Ｌ）にスイングさせると、表示画面４８には、起動情報に基づきアプリケーションＹが起動され、アプリケーションＹの全画面表示、起動情報がなければ、起動中のアプリケーションＸの全画面表示が展開される。【００４９】
また、図７Ａに示すように、表示画面４８に実行中のアプリケーションＸの表示が展開されている状態から、図７Ｂに示すように、表示側筐体部４２を右方向（Ｒ）にスイングさせると、表示画面４８には、起動情報に基づきアプリケーションＺが起動され、アプリケーションＺの全画面表示、起動情報がなければ、起動中のアプリケーションＸの全画面表示が展開される。【００５０】
以上説明したように、スイング起動設定において、左スイングでアプリケーションＹの起動が指定されている場合、縦画面でアプリケーションＸ（アプリケーションＹ以外のアプリケーション）の表示を実行中に、表示側筐体部４２を左スイングすると、アプリケーションＹを起動でき、そのアプリケーションＹの全画面表示を実行することができる。【００５１】
また、スイング起動設定において、右スイングでアプリケーションＺの起動が指定されている場合、縦画面でアプリケーションＸ（アプリケーションＺ以外のアプリケーション）の表示を実行中に、右スイングを行うと、アプリケーションＺを起動でき、アプリケーションＺの全画面表示を実行することができる。【００５２】
〔第２の実施の形態〕【００５３】
第２の実施の形態について、図８及び図９を参照する。図８は、第２の実施の形態に係る携帯装置を示す図、図９は、スイング起動設定領域及びスイング画面表示設定領域のデータ構成を示す図である。図８及び図９に示す構成は一例であって、斯かる構成に限定されるものではない。図８及び図９において、図１及び図２と同一部分には同一符号を付してある。【００５４】
この実施の形態の携帯装置２では、左方向又は右方向にスイングさせることが可能な表示手段とともに、スイング起動時の機能設定のための設定手段と、画面表示形態を設定するための設定手段とを別個に設置し、第１のアプリケーションの起動中に、スイング（旋回）状態の検出に基づき、スイング起動設定手段に設定されている第２のアプリケーションの起動を可能にするとともに、スイング前の表示から、スイング後に起動したアプリケーションの表示を２画面表示に変更する機能等、実行すべきアプリケーションと表示画面の形態とを自由に設定可能にしたものである。【００５５】
この実施の形態では、記憶部１２は、ＯＳや各種アプリケーションの他、スイング起動設定情報、スイング画面表示設定情報等が格納される記憶手段であって、Ｆｌａｓｈメモリ等の不揮発性メモリで構成され、図８に示すように、プログラム格納領域２６、スイング起動設定領域２８、データ格納領域３０に加え、スイング画面表示設定領域５０が設定されている。プログラム格納領域２６は、既述のＯＳや各種のアプリケーション、スイングに応じた画面表示を実行する表示制御プログラムの格納に用いられる。スイング起動設定領域２８は、第１の実施の形態と同様に表示部１４のスイング情報と、そのスイング情報に対応するアプリケーションや動作を表す情報を格納するスイング起動設定部を構成し、また、スイング画面表示設定領域５０には、スイングに応じた画面表示を全画面表示、２画面表示等の画面表示情報を格納するスイング画面表示設定部を構成する。その他の構成は、第１の実施の形態と同様であるので、図８に同一符号を付し、その説明を省略する。【００５６】
また、スイング画面表示設定領域５０には、図９に示すように、左スイング画面表示設定部５２、右スイング画面表示設定部５４が設定され、左スイング画面表示設定部５２には、２画面表示又は全画面表示を表す画面表示情報５６、右スイング画面表示設定部５４には、２画面表示又は全画面表示を表す画面表示情報５８が格納される。また、これらの画面表示情報５６、５８は、携帯装置２の電源投入の後、メニュー画面から機能設定動作を立ち上げ、起動設定画面から起動情報３６、３８と同様に入力され、設定できる構成とすればよい。また、スイング起動設定領域２８の構成は、第１の実施の形態と同様であるので、図９に同一符号を付し、その説明を省略する。【００５７】
次に、アプリケーションの起動及び表示制御について、図１０を参照する。図１０は、第２の実施の形態に係る表示制御の処理手順を示すフローチャートである。図１０の処理手順は一例であって、この処理手順に本発明が限定されるものではない。【００５８】
この処理手順は、携帯装置の表示制御方法又は表示制御プログラムの一例であって、この処理手順には、スイング起動設定領域２８にある起動情報、及び／又はスイング画面表示設定領域５０にある画面表示情報の設定に基づく処理が含まれている。即ち、起動情報及び／又は画面表示情報に基づく表示切替えがスイング操作に応じて実行される。【００５９】
この処理手順は、図１０に示すように、第１のアプリケーションであるアプリケーションＸが起動され、その起動中に（ステップＳ１１）、表示側筐体部４２のスイング操作が行われ（ステップＳ１２）、スイング状態検出部１６の検出情報に基づき、スイング起動が実行される。スイング状態検出部１６の検出情報から、左スイングか右スイングかが判定され（ステップＳ１３）、左スイングの場合には（ステップＳ１３の左スイング）、設定されている起動情報及び／又は画面表示情報の有無が判断される（ステップＳ１４）。【００６０】
第２のアプリケーションであるアプリケーションＹの起動情報、その画面表示情報が設定されていれば（ステップＳ１４のＹｅｓ）、起動情報に基づき、アプリケーションＹが起動され、その２画面表示、又はその全画面が表示画面４８に展開される（ステップＳ１５）。【００６１】
また、アプリケーションの起動情報及び画面表示情報が設定されていなければ（ステップＳ１４のＮｏ）、起動中のアプリケーションＸの全画面が表示画面４８に展開される（ステップＳ１６）。【００６２】
ステップＳ１３において、右スイングの場合には（ステップＳ１３の右スイング）、右スイングにおいても、設定されている起動情報及び／又は画面表示情報の有無が判断される（ステップＳ１７）。【００６３】
他の第２のアプリケーションであるアプリケーションＺの起動情報及び画面表示情報が設定されていれば（ステップＳ１７のＹｅｓ）、起動情報に基づき、アプリケーションＺが起動され、その２画面表示、又はその全画面が表示画面４８に展開される（ステップＳ１８）。【００６４】
また、アプリケーションの起動情報及び画面表示情報が設定されていなければ（ステップＳ１７のＮｏ）、起動中のアプリケーションＸの全画面が表示画面４８に展開される（ステップＳ１９）。【００６５】
このような表示部１４のスイングに応じた表示切替えについて、図１１Ａに示すように、表示画面４８に実行中のアプリケーションＸの表示が展開されている状態から、図１１Ｂに示すように、表示側筐体部４２を左方向（Ｌ）にスイングさせると、表示画面４８には、起動情報に基づきアプリケーションＹが起動され、画面表示情報が２画面表示の指定であれば、アプリケーションＸ、Ｙの２画面表示が実行される。また、画面表示情報が全画面表示の指定、又は起動情報の設定がなければ、図１１Ｃに示すように、画面表示情報に基づき、アプリケーションＹの全画面表示となり、又は、起動情報がなければ、起動中のアプリケーションＸの全画面表示となる。【００６６】
また、図１２Ａに示すように、表示画面４８に実行中のアプリケーションＸの表示が展開されている状態から、図１２Ｂに示すように、表示側筐体部４２を右方向（Ｒ）にスイングさせると、表示画面４８には、起動情報に基づきアプリケーションＺが起動され、画面表示情報が２画面表示の指定であれば、アプリケーションＸ、Ｚの２画面表示が実行される。また、画面表示情報が全画面表示の指定、又は起動情報の設定がなければ、図１２Ｃに示すように、画面表示情報に基づき、アプリケーションＺの全画面表示となり、又は、起動情報がなければ、起動中のアプリケーションＸの全画面表示となる。【００６７】
このように、スイング起動したアプリケーションについて、横全画面表示を行う場合と、既に表示中のアプリケーションとの２画面表示を行う場合の２つのパターンがある。即ち、あるアプリケーション利用中に、左右どちらかのスイング操作で、一方は２画面表示（スイング起動設定で起動したアプリケーションと、起動中のアプリケーションの２画面）、他方は起動中のアプリケーションを横全画面表示として利用することができる。【００６８】
〔他の実施の形態〕【００６９】
上記実施の形態では、携帯装置２として、ワンセグ放送受信機能を備えた携帯電話装置を例示したが、本発明は、携帯情報端末機（ＰＤＡ：Personal Digital Assistant）やパーソナルコンピュータ（ＰＣ）に適用してもよく、携帯電話装置に限定されるものではない。【００７０】
また、上記実施の形態では、スイング起動設定領域２８に設定される対象としてアプリケーションを例示したが、このアプリケーションには、機能や特定の動作を含むものであってもよいし、アプリケーションとは別に機能や動作を表す情報を格納し、それらを実行させる構成としてもよい。【００７１】
また、上記実施の形態では、２画面表示又は２画面駆動として、２つの画面を表示する構成について例示したが、本発明は、３画面以上の複数画面表示を同時に行う構成に適用してもよく、２画面表示に限定されるものではない。
【実施例】
【００７２】
〔第１の実施例〕【００７３】
第１の実施例について、図１３及び図１４を参照する。図１３は、第１の実施例に係るスイング起動設定領域の格納情報を示す図、図１４は、第１の実施例に係る処理手順を示すフローチャートである。図１３及び図１４に示す構成は一例であって、斯かる構成や処理手順に本発明が限定されるものではない。図１３において、図２と同一部分には同一符号を付してある。【００７４】
第１の実施例に係る携帯装置２は、第１の実施の形態（図１）を具体化したものであり、この第１の実施例においても、図１に示す携帯装置２が用いられる。左スイングでアプリケーションＣを起動するには、図１３に示すように、スイング起動設定領域２８の左スイング起動設定部３２にアプリケーションＣの起動情報３６を設定すればよく、また、右スイングでアプリケーションＤ（受信メール）を起動するには、右スイング起動設定部３４にアプリケーションＤの起動情報３８を設定すればよい。起動中のアプリケーションを全画面表示とするのであれば、これらの起動情報は不要である。【００７５】
この実施例の処理手順は携帯装置の表示制御方法、表示制御プログラムの処理の一例であって、図１４に示すように、待受け時のアプリケーションＡから第１のアプリケーションであるアプリケーションＢへの移行処理（処理Ｆ１１）、スイング操作の確認処理（処理Ｆ１２）、左方向のスイング操作による第２のアプリケーションであるアプリケーションＣの起動処理（処理Ｆ１３）、右方向のスイング操作による他の第２のアプリケーションであるアプリケーションＤの起動処理（処理Ｆ１４）、キー入力処理（処理Ｆ１５）が含まれる。各処理において、アプリケーションＡは例えば、待受画面等を立ち上げるプログラム、アプリケーションＢは例えば、フルブラウザ（データやファイルの内容を閲覧するためのソフトウェア、閲覧ソフトウェア）であり、アプリケーションＤは例えば、メールソフトウェアである。【００７６】
処理Ｆ１１では、電源投入を契機としてアプリケーションＡが起動し（ステップＳ２１）、表示部１４の表示画面４８に待受画面が表示される。この待受画面から入力があるか否かが判断され（ステップＳ２２）、入力がなければ（ステップＳ２２のＮｏ）、入力があるまで待機状態となる。この入力には、スイング状態検出部１６の検出情報も含まれる。入力があれば（ステップＳ２２のＹｅｓ）、アプリケーションＢの起動指示か否かが判断され（ステップＳ２３）、アプリケーションＢの起動指示であれば（ステップＳ２３のＹｅｓ）、アプリケーションＢを起動し（ステップＳ２４）、アプリケーションＢをアクティブ化即ち、実行させ（ステップＳ２５）、ステップＳ２２に戻る。【００７７】
ステップＳ２３において、ステップＳ２２の入力がアプリケーションＢの起動指示でなければ（ステップＳ２３のＮｏ）、処理Ｆ１２に移行する。処理Ｆ１２では、スイング操作に基づくスイング起動か否かを判断し（ステップＳ２６）、スイング起動であれば（ステップＳ２６のＹｅｓ）、スイング方向が左方向か右方向かの判断を行う（ステップＳ２７）。スイング方向が左方向であれば、処理Ｆ１３に移行し、スイング方向が右方向であれば、処理Ｆ１４に移行する。【００７８】
処理Ｆ１３では、左スイング起動設定部３２に設定があるか否かを判断し（ステップＳ２８）、設定があれば（ステップＳ２８のＹｅｓ）、起動設定されたアプリケーションＣを読み込み（ステップＳ２９）、そのアプリケーションＣを表示部１４の表示画面４８の全画面で起動してアクティブ化する（ステップＳ３０）。また、左スイング起動設定部３２に設定がなければ（ステップＳ２８のＮｏ）、前面で実行中のアプリケーション（処理Ｆ１１でアクティブ化したアプリケーションＢ）を取得し（ステップＳ３１）、そのアプリケーションを表示部１４の表示画面４８の全画面で表示する（ステップＳ３２）。【００７９】
処理Ｆ１４では、右スイング起動設定部３４に設定があるか否かを判断し（ステップＳ３３）、設定があれば（ステップＳ３３のＹｅｓ）、起動設定されたアプリケーションＤを読み込み（ステップＳ３４）、そのアプリケーションＤを表示部１４の表示画面４８の全画面で起動してアクティブ化する（ステップＳ３５）。また、右スイング起動設定部３４に設定がなければ（ステップＳ３３のＮｏ）、前面で実行中のアプリケーション（処理Ｆ１１でアクティブ化したアプリケーションＢ）を取得し（ステップＳ３６）、そのアプリケーションを表示部１４の表示画面４８の全画面で表示する（ステップＳ３７）。【００８０】
ステップＳ２６において、スイング起動でなければ（ステップＳ２６のＮｏ）、処理Ｆ１５に移行する。処理Ｆ１５では、キー入力があるか否かを判断し（ステップＳ３８）、キー入力があれば（ステップＳ３８のＹｅｓ）、アクティブ化されている既述のアプリケーション（即ち、アプリケーションＢ、アプリケーションＣ又はアプリケーションＤ）にキー入力を反映させ（ステップＳ３９）、ステップＳ２２に戻る。また、キー入力がない場合（ステップＳ３８のＮｏ）もステップＳ２２に戻る。即ち、キー入力の反映（ステップＳ３９）は、アプリケーションＢが起動中であればアプリケーションＢ、アプリケーションＣが起動中であればアプリケーションＣ、アプリケーションＤが起動中であればアプリケーションＤに反映され、起動中のアプリケーションＢ、Ｃ又はＤの表示画面４８にキー入力の入力情報が表示される。【００８１】
この処理手順において、アプリケーションＢがフルブラウザであれば、図１５Ａに示すように、表示画面４８はフルブラウザの縦画面表示となる。左スイング起動設定部３２に起動情報の設定がなければ、表示側筐体部４２を左方向にスイングさせると、図１５Ｂに示すように、起動中のフルブラウザの全画面表示となる。また、右スイング起動設定部３４にアプリケーションＤとして受信メールの起動設定があれば、図１５Ｃに示すように、アプリケーションＤの受信メールが起動され、その全画面表示となる。【００８２】
この場合、表示画面４８の縦画面表示では、図１６Ａに示すように、フルブラウザが表示され、このフルブラウザ表示では、表示領域６０にタイトル等の表示情報、表示領域６２にフルブラウザで検索された検索結果情報が表示されている。この縦画面表示から表示画面４８の横画面の全画面表示に切り替えられると、図１６Ｂに示すように、表示領域６４にはタイトル等の表示情報、表示領域６６にはフルブラウザで検索された検索結果情報が表示される。表示幅が２４０〔ｄｏｔ〕と狭い縦画面表示に比較し、横全画面表示では、表示幅が４３２〔ｄｏｔ〕に拡大され、即ち、スイング操作の結果、コンテンツ表示領域が横方向に拡張されるので、検索結果情報の把握の容易化が図られ、読み易くなっている。【００８３】
また、右スイングで起動したアプリケーションＤの受信メールでは、図１７Ａに示すように全画面表示となり、表示領域６８には受信日時やメールアドレス等が表示され、表示領域７０にはメール文が表示されている。表示領域７０の表示幅は４３２〔ｄｏｔ〕と広く、スイング操作の結果、横方向に表示幅が拡張され、１行に表示する文字数が増加している。縦画面表示では、図１７Ｂに示すように、同様に表示領域７２には受信日時やメールアドレス等が表示され、表示領域７４にはメール文が表示されているが、メール文の表示幅が２４０〔ｄｏｔ〕と狭く、縦全画面表示では、メール文の把握の容易化が図られ、読み易い。【００８４】
〔第２の実施例〕【００８５】
第２の実施例について、図１８及び図１９を参照する。図１８は、第２の実施例に係るスイング起動設定領域及びスイング画面表示設定領域の格納情報を示す図、図１９は、第２の実施例に係る処理手順を示すフローチャートである。図１８及び図１９に示す構成は一例であって、斯かる構成や処理手順に本発明が限定されるものではない。図１８において、図９と同一部分には同一符号を付してある。【００８６】
第２の実施例に係る携帯装置２は、第２の実施の形態（図８）を具体化したものであって、後に起動されたアプリケーション側の表示画面での入力等を可能にするアクティブ化を図ったものである。左スイングでアプリケーションＣを起動するには、図１８に示すように、スイング起動設定領域２８の左スイング起動設定部３２にはアプリケーションＣの起動情報３６を設定すればよく、また、右スイングでアプリケーションＤ（受信メール）を起動するには、右スイング起動設定部３４にアプリケーションＤの起動情報３８を設定すればよい。また、起動中のアプリケーションを２画面表示とするには、スイング画面表示設定領域５０の左スイング画面表示設定部５２、右スイング画面表示設定部５４に２画面表示を表す画面表示情報５６、５８を格納すればよい。これらの情報は、携帯装置２を起動し、メニュー画面から設定情報入力モードを立ち上げて入力すればよい。【００８７】
この実施例の処理手順は携帯装置の表示制御方法、表示制御プログラムの処理の一例であって、図１９に示すように、待受け時のアプリケーションＡから第１のアプリケーションであるアプリケーションＢへの移行処理（処理Ｆ２１）、スイング操作の確認処理（処理Ｆ２２）、左方向のスイング操作による第２のアプリケーションであるアプリケーションＣの起動処理（処理Ｆ２３）、右方向のスイング操作による他の第２のアプリケーションであるアプリケーションＤの起動処理（処理Ｆ２４）、キー入力処理（処理Ｆ２５）が含まれる。各処理において、アプリケーションＡは例えば、待受画面等を立ち上げるプログラム、アプリケーションＢは例えば、フルブラウザ（データやファイルの内容を閲覧するためのソフトウェア、閲覧ソフトウェア）であり、アプリケーションＤは例えば、メールソフトウェアである。【００８８】
処理Ｆ２１では、電源投入を契機としてアプリケーションＡが起動し（ステップＳ４１）、表示部１４の表示画面４８に待受画面が表示される。この待受画面から入力があるか否かが判断され（ステップＳ４２）、入力がなければ（ステップＳ４２のＮｏ）、入力があるまで待機状態となる。この入力には、スイング状態検出部１６の検出情報も含まれる。入力があれば（ステップＳ４２のＹｅｓ）、アプリケーションＢの起動指示か否かが判断され（ステップＳ４３）、アプリケーションＢの起動指示であれば（ステップＳ４３のＹｅｓ）、アプリケーションＢを起動し（ステップＳ４４）、アプリケーションＢをアクティブ化即ち、実行させ（ステップＳ４５）、ステップＳ４２に戻る。【００８９】
ステップＳ４３において、ステップＳ４２の入力がアプリケーションＢの起動指示でなければ（ステップＳ４３のＮｏ）、処理Ｆ２２に移行する。処理Ｆ２２では、スイング操作に基づくスイング起動か否かを判断し（ステップＳ４６）、スイング起動であれば（ステップＳ４６のＹｅｓ）、スイング方向が左方向か右方向かの判断を行う（ステップＳ４７）。スイング方向が左方向であれば、処理Ｆ２３に移行し、スイング方向が右方向であれば、処理Ｆ２４に移行する。【００９０】
処理Ｆ２３では、左スイング起動設定部３２に設定があるか否かを判断し（ステップＳ４８）、設定があれば（ステップＳ４８のＹｅｓ）、起動設定されたアプリケーションＣを読み込み（ステップＳ４９）、そのアプリケーションＣを起動し、この実施例では、アプリケーションＣをアクティブ化した状態で表示画面４８を２画面起動とする（ステップＳ５０）。また、左スイング起動設定部３２に設定がなければ（ステップＳ４８のＮｏ）、前面で実行中のアプリケーション（処理Ｆ２１でアクティブ化したアプリケーションＢ）を取得し（ステップＳ５１）、そのアプリケーションを表示部１４の表示画面４８の全画面で表示する（ステップＳ５２）。【００９１】
処理Ｆ２４では、右スイング起動設定部３４に設定があるか否かを判断し（ステップＳ５３）、設定があれば（ステップＳ５３のＹｅｓ）、起動設定されたアプリケーションＤを読み込み（ステップＳ５４）、そのアプリケーションＤを起動し、この実施例では、アプリケーションＤをアクティブ化した状態で表示画面４８を２画面起動（受信メール表示）とする（ステップＳ５５）。また、右スイング起動設定部３４に設定がなければ（ステップＳ５３のＮｏ）、前面で実行中のアプリケーション（処理Ｆ２１でアクティブ化したアプリケーションＢ）を取得し（ステップＳ５６）、そのアプリケーションを表示部１４の表示画面４８の全画面で表示する（ステップＳ５７）。【００９２】
ステップＳ４６において、スイング起動でなければ（ステップＳ４６のＮｏ）、処理Ｆ２５に移行する。処理Ｆ２５では、キー入力があるか否かを判断し（ステップＳ５８）、キー入力があれば（ステップＳ５８のＹｅｓ）、アクティブ化されている既述のアプリケーション（即ち、アプリケーションＢ、アプリケーションＣ又はアプリケーションＤ）にキー入力を反映させ（ステップＳ５９）、ステップＳ４２に戻る。また、キー入力がない場合（ステップＳ５８のＮｏ）もステップＳ４２に戻る。即ち、キー入力の反映（ステップＳ５９）は、既述した通り、アプリケーションＢが起動中であればアプリケーションＢ、アプリケーションＣが起動中であればアプリケーションＣ、アプリケーションＤが起動中であればアプリケーションＤに反映され、起動中のアプリケーションＢ、Ｃ又はＤの表示画面４８にキー入力の入力情報が表示される。【００９３】
この処理手順において、アプリケーションＢがフルブラウザであれば、図２０Ａに示すように、表示画面４８はフルブラウザの縦画面表示となる。左スイング起動設定部３２に起動情報の設定がなければ、表示側筐体部４２を左方向にスイングさせると、図２０Ｂに示すように、起動中のフルブラウザの全画面表示となる。また、右スイング起動設定部３４にアプリケーションＤとして受信メールの起動設定、右スイング画面表示設定部５４に２画面表示設定があれば、図２０Ｃに示すように、フルブラウザとアプリケーションＤの受信メールの２画面表示となる。【００９４】
右スイングで起動したアプリケーションＤの受信メール及びフルブラウザの２画面表示では、図２１Ａに示すように、横画面の横幅１９２〔ｄｏｔ〕の表示領域７６にフルブラウザが表示され、横幅２４０〔ｄｏｔ〕の表示領域７８に受信メールが表示され、アクティブ状態にある受信メール上にはカーソル７９が表示されている。縦画面表示では、図２１Ｂに示すように、メール文の表示のみに対し、２画面表示では受信メール及びフルブラウザの２つの情報を１つの画面で把握でき、利便性が高い。【００９５】
そして、図２１Ａに示す表示領域７８のメール文に対し、キー入力によりキー入力情報を反映させ、受信メールに対する返信メールの作成や編集をキー入力によって実行することができる。【００９６】
〔第３の実施例〕【００９７】
第３の実施例について、図２２及び図２３を参照する。図２２は、第３の実施例に係るスイング起動設定領域及びスイング画面表示設定領域の格納情報を示す図、図２３は、第３の実施例に係る処理手順を示すフローチャートである。図２２及び図２３に示す構成は一例であって、斯かる構成や処理手順に本発明が限定されるものではない。図２２において、図９と同一部分には同一符号を付してある。【００９８】
第３の実施例に係る携帯装置２は、第２の実施の形態（図８）を具体化したものであって、後に起動されたアプリケーションと前に起動されているアプリケーションの２画面を表示した場合に、その画面中で前起動に係るアプリケーションの画面上で入力等を可能にするアクティブ化を図ったものである。左スイングでアプリケーションＣを起動するには、図２２に示すように、スイング起動設定領域２８の左スイング起動設定部３２にはアプリケーションＣの起動情報５６を設定すればよく、また、右スイングでアプリケーションＤを起動するには、右スイング起動設定部３４にアプリケーションＤの起動情報５８を設定すればよい。また、起動中のアプリケーションを２画面表示とするには、スイング画面表示設定領域５０の左スイング画面表示設定部５２、右スイング画面表示設定部５４に２画面表示を表す画面表示情報５６、５８を格納すればよいし、図示しないが、左スイング画面表示設定部５２に全画面表示を設定してもよい。これらの情報は、携帯装置２を起動し、メニュー画面から設定情報入力モードを立ち上げて入力すればよい。【００９９】
この実施例の処理手順は携帯装置の表示制御方法、表示制御プログラムの処理の一例であって、図２３に示すように、待受け時のアプリケーションＡから第１のアプリケーションであるアプリケーションＢへの移行処理（処理Ｆ３１）、スイング操作の確認処理（処理Ｆ３２）、左方向のスイング操作による実行中のアプリケーションＢの処理、又は第２のアプリケーションであるアプリケーションＣの起動処理及び２画面起動（処理Ｆ３３）、右方向のスイング操作による実行中のアプリケーションＢの処理、又は他の第２のアプリケーションであるアプリケーションＤの起動処理及び２画面起動（処理Ｆ３４）、キー入力処理（処理Ｆ３５）が含まれる。各処理において、アプリケーションＡは例えば、待受画面等を立ち上げるプログラム、アプリケーションＢは例えば、フルブラウザ（データやファイルの内容を閲覧するためのソフトウェア、閲覧ソフトウェア）であり、アプリケーションＤは例えば、メールソフトウェアである。【０１００】
処理Ｆ３１では、電源投入を契機としてアプリケーションＡが起動し（ステップＳ６１）、表示部１４の表示画面４８に待受画面が表示される。この待受画面から入力があるか否かが判断され（ステップＳ６２）、入力がなければ（ステップＳ６２のＮｏ）、入力があるまで待機状態となる。この入力には、スイング状態検出部１６の検出情報も含まれる。入力があれば（ステップＳ６２のＹｅｓ）、アプリケーションＢの起動指示か否かが判断され（ステップＳ６３）、アプリケーションＢの起動指示であれば（ステップＳ６３のＹｅｓ）、アプリケーションＢを起動し（ステップＳ６４）、アプリケーションＢをアクティブ化即ち、実行させ（ステップＳ６５）、ステップＳ６２に戻る。【０１０１】
ステップＳ６３において、ステップＳ６２の入力がアプリケーションＢの起動指示でなければ（ステップＳ６３のＮｏ）、処理Ｆ３２に移行する。処理Ｆ３２では、スイング操作に基づくスイング起動か否かを判断し（ステップＳ６６）、スイング起動であれば（ステップＳ６６のＹｅｓ）、スイング方向が左方向か右方向かの判断を行う（ステップＳ６７）。スイング方向が左方向であれば、処理Ｆ３３に移行し、スイング方向が右方向であれば、処理Ｆ３４に移行する。【０１０２】
処理Ｆ３３では、左スイング起動設定部３２に設定があるか否かを判断し（ステップＳ６８）、設定があれば（ステップＳ６８のＹｅｓ）、起動設定されたアプリケーションＣを読み込み（ステップＳ６９）、起動中のアプリケーションＢとともにアプリケーションＣを起動し、この実施例では、前面で実行中のアプリケーションＢをアクティブにした状態で表示画面４８を２画面起動し、アプリケーションＢ及びＣの２画面表示を行う（ステップＳ７０）。【０１０３】
また、左スイング起動設定部３２に設定がなければ（ステップＳ６８のＮｏ）、前面で実行中のアプリケーション（処理Ｆ３１でアクティブ化したアプリケーションＢ）を取得し（ステップＳ７１）、そのアプリケーションを表示部１４の表示画面４８の全画面で表示する（ステップＳ７２）。【０１０４】
処理Ｆ３４では、右スイング起動設定部３４に設定があるか否かを判断し（ステップＳ７３）、設定があれば（ステップＳ７３のＹｅｓ）、起動設定されたアプリケーションＤを読み込み（ステップＳ７４）、起動中のアプリケーションＢとともにアプリケーションＤを起動し、この実施例では、前面で実行中のアプリケーションＢをアクティブにした状態で表示画面４８を２画面起動し、アプリケーションＢ及びＤの２画面表示を行い、この場合、２画面表示の一方に受信メールを表示させる（ステップＳ７５）。【０１０５】
また、右スイング起動設定部３４に設定がなければ（ステップＳ７３のＮｏ）、前面で実行中のアプリケーション（処理Ｆ３１でアクティブ化したアプリケーションＢ）を取得し（ステップＳ７６）、そのアプリケーションを表示部１４の表示画面４８の全画面で表示する（ステップＳ７７）。【０１０６】
ステップＳ６６において、スイング起動でなければ（ステップＳ６６のＮｏ）、処理Ｆ３５に移行する。処理Ｆ３５では、キー入力があるか否かを判断し（ステップＳ７８）、キー入力があれば（ステップＳ７８のＹｅｓ）、アクティブ化されている既述のアプリケーション（即ち、アプリケーションＢ、アプリケーションＣ又はアプリケーションＤ）にキー入力を反映させ（ステップＳ７９）、ステップＳ６２に戻る。また、キー入力がない場合（ステップＳ７８のＮｏ）もステップＳ６２に戻る。即ち、キー入力の反映（ステップＳ７９）は、既述のように、アプリケーションＢが起動中であればアプリケーションＢ、アプリケーションＣが起動中であればアプリケーションＣ、アプリケーションＤが起動中であればアプリケーションＤに反映され、起動中のアプリケーションＢ、Ｃ又はＤの表示画面４８にキー入力の入力情報を表示させることができる。【０１０７】
この処理手順において、アプリケーションＢがフルブラウザであれば、図２４Ａに示すように、表示画面４８はフルブラウザの縦画面表示となる。左スイング起動設定部３２に起動情報の設定がなければ、表示側筐体部４２を左方向にスイングさせると、図２４Ｂに示すように、起動中のフルブラウザの全画面表示となる。また、右スイング起動設定部３４にアプリケーションＤとして受信メールの起動設定、右スイング画面表示設定部５４に２画面表示設定があれば、図２４Ｃに示すように、フルブラウザとアプリケーションＤの受信メールの２画面表示となる。【０１０８】
右スイングで起動したアプリケーションＤの受信メール及びフルブラウザの２画面表示では、図２４Ｃに対応する図２５に示すように、横画面の横幅１９２〔ｄｏｔ〕の表示領域８０に受信メールが表示され、横幅２４０〔ｄｏｔ〕の表示領域８２にフルブラウザが表示され、アクティブ化されたフルブラウザ表示上にはカーソル８３が表示されている。このような２画面表示では受信メール及びフルブラウザの２つの情報を１つの画面で把握でき、利便性が高い。【０１０９】
そして、図２５に示すように、表示領域８２のフルブラウザ表示では、カーソル８３の移動が可能であり、キー入力によりキー入力情報を反映させ、フルブラウザ処理を実行できる。【０１１０】
〔第４の実施例〕【０１１１】
第４の実施例について、図２６及び図２７を参照する。図２６及び図２７は、第４の実施例に係るアプリケーションの起動及び表示画面切替えを示す図である。図２６及び図２７に示す構成は一例であって、斯かる構成や処理手順に本発明が限定されるものではない。【０１１２】
第４の実施例では、携帯装置２の縦画面表示の表示モードにおいて、アプリケーションの表示画面を起動している際に、ワンセグ放送受信画面の表示が無い状態からワンセグ放送受信画面の切替えを実行する場合である。図２６に示すように、携帯装置２のアプリケーションを起動させている表示画面４８が縦画面（アプリ画面）４８０から表示部１４の左スイングにより、アプリ横全画面４８１Ｌに切り替えられ、このアプリ横全画面４８１Ｌの表示からＴＶキー６０６（図４）を押下すれば、ワンセグ放送受信モードに切り替えられ、ワンセグ放送受信が開始されると、そのワンセグ横全画面４８２Ｌが表示される。この表示モードは前回終了時のモードとしてもよい。【０１１３】
ワンセグ放送受信モードは初回のＴＶキー６０６（図４）の押下により実行され、ワンセグ放送受信モードの起動後は、次回のＴＶキー６０６の順次押下により、２画面表示、アプリ横全画面表示に切り替えられる。この場合、横画面４８３Ｌには、ワンセグ放送受信画面８４とアプリ画面８６が表示され、次のＴＶキー６０６の押下でアプリ横全画面４８１Ｌに復帰させる。【０１１４】
また、アプリケーションを起動させている縦画面（アプリ画面）４８０から表示部１４を右スイングした場合、表示画面４８をワンセグ横全画面４８１Ｒに切り替え、このワンセグ横全画面４８１Ｒの表示からＴＶキー６０６（図４）を押下すれば、横画面４８２Ｒには、ワンセグ放送受信画面８８とアプリ画面９０が表示され、次のＴＶキー６０６の押下でアプリ横全画面４８３Ｒに移行し、次のＴＶキー６０６の押下でワンセグ横全画面４８１Ｒに復帰する構成としてもよい。また、ワンセグ横全画面４８１Ｒは、表示モードは前回終了時のモードを設定する構成としてもよい。【０１１５】
なお、この場合、ワンセグ横全画面４８２Ｌから横画面４８３Ｌへの表示切替え、横画面４８３Ｌからアプリ横全画面４８１Ｌへの表示切替えにＴＶキー６０６を用いているが、他のキーに機能切替え及び表示切替えの機能を割り当てて行うようにしてもよく、また、横画面４８２Ｒからアプリ横全画面４８３Ｒへの表示切替え、アプリ横全画面４８３Ｒからワンセグ横全画面４８１Ｒへの表示切替えにＴＶキー６０６を用いているが、他のキーに表示機能切替えの機能を割り当てて表示切替えを行うようにしてもよい。【０１１６】
また、図２７に示すように、アプリケーションを起動させている縦画面（アプリ画面）５８０では、ワンセグ放送受信の起動中としてもよい。この場合、表示部１４を左スイングした場合、表示画面４８をアプリ横全画面５８１Ｌに切り替え、このアプリ横全画面５８１Ｌの表示からＴＶキー６０６（図４）を押下すれば、ワンセグ放送受信モードが起動し、そのワンセグ横全画面５８２Ｌが表示される。即ち、ワンセグ起動後は、ＴＶキー６０６の順次押下により、横画面５８３Ｌにワンセグ放送受信画面９２とアプリ画面９４の２画面を表示し、次のＴＶキー６０６の押下でアプリ横全画面５８１Ｌに復帰する構成としてもよい。【０１１７】
また、アプリケーションを起動させている縦画面（アプリ画面）５８０から表示部１４を右スイングした場合、表示画面４８をワンセグ横全画面５８１Ｒに切り替え、このワンセグ横全画面５８１Ｒの表示からＴＶキー６０６（図４）の押下により、横画面５８２Ｒにワンセグ放送受信画面９６とアプリ画面９８が表示され、次のＴＶキー６０６の押下でアプリ横全画面５８３Ｒに移行し、次のＴＶキー６０６の押下でワンセグ横全画面５８１Ｒへ復帰する構成としてもよい。【０１１８】
〔他の実施例〕【０１１９】
上記実施例において、フルブラウザ操作中に右スイングすると、右スイング起動設定で設定された受信メール一覧が起動し、左スイングでフルブラウザ全画面表示としてもよい。【０１２０】
また、上記実施例において、フルブラウザ操作中に右スイングすると、操作中のフルブラウザと右スイング起動設定で設定された受信メール一覧の２画面表示を可能にし、左スイングでは、フルブラウザ全画面表示としてもよい。【０１２１】
また、上記実施例において、縦画面で表示していたアプリケーションは横画面にしても横幅の表示領域は変更せずに、スイング起動設定で起動したアプリケーションを残りの領域に表示してもよい。【０１２２】
また、上記実施例において、左右のスイング時に何れの画面を２画面／全画面にするかをキーによって任意に選択可能にしてもよい。【０１２３】
以上述べたように、本発明の最も好ましい実施の形態等について説明したが、本発明は、上記記載に限定されるものではなく、請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１２４】
本発明は、２以上のアプリケーションやワンセグ放送の受信機能を同時に実行可能な携帯装置であって、アプリケーションの起動中に左方向又は右方向にスイングさせた場合に起動させるアプリケーションや画面形態を設定可能にするとともに、スイング操作によってアプリケーションの起動や画面形態を変更できるので、アプリケーション起動や画面表示の自由度を高めるとともに、携帯装置の利便性を向上させることができ、携帯電話装置やＰＤＡの他、携帯可能なＰＣ等に適用でき、有用である。
【図１】
2009084088.tif 000003
【図２】
2009084088.tif 000004
【図３】
2009084088.tif 000005
【図４】
2009084088.tif 000006
【図５】
2009084088.tif 000007
【図６】
2009084088.tif 000008
【図７】
2009084088.tif 000009
【図８】
2009084088.tif 000010
【図９】
2009084088.tif 000011
【図１０】
2009084088.tif 000012
【図１１】
2009084088.tif 000013
【図１２】
2009084088.tif 000014
【図１３】
2009084088.tif 000015
【図１４】
2009084088.tif 000016
【図１５】
2009084088.tif 000017
【図１６】
2009084088.tif 000018
【図１７】
2009084088.tif 000019
【図１８】
2009084088.tif 000020
【図１９】
2009084088.tif 000021
【図２０】
2009084088.tif 000022
【図２１】
2009084088.tif 000023
【図２２】
2009084088.tif 000024
【図２３】
2009084088.tif 000025
【図２４】
2009084088.tif 000026
【図２５】
2009084088.tif 000027
【図２６】
2009084088.tif 000028
【図２７】
2009084088.tif 000029
【国際調査報告】
2009084088.tif 000030
2009084088.tif 000031